(57)【要約】【課題】  柄(10)のあるツールに紐体(20)をつないでツール使用者へ固定している場合に、作業者に対して紐体(20)が邪魔にならないように、当該ツールの使い勝手を向上させられるツール収納具を提供する。【解決手段】  作業者の握り手となる柄(10)と、その柄(10)から延設された部位としての作業機能部（たとえば網11）とを備えるツールを収納する収納具である。柄(10)を収納する鞘体(40)と、その鞘体(40)とツールとを連結する紐体(たとえば尻手ロープ20)とを備える。  紐体(20)は、鞘体(40)においてツールを収納する収納空間に連結固定部(42)と連結する。  鞘体(40)側において連結固定する部位に巻き取り機構(25)を備えてもよい。ツールにおける柄(10)の端部付近には、ツール側連結固定部(13)を備え、  そのツール側連結固定部(13)は、前記の紐体(20)を連結固定する。【選択図】  図１
2013208069.tif 000002
【特許請求の範囲】
【請求項１】
作業者の握り手となる柄と、その柄から延設された部位としての作業機能部とを備えるツールを収納する収納具であって、
前記の柄を収納する内部空間を備えた鞘体と、その鞘体とツールとを連結する紐体とを備え、
その紐体は、前記の柄が鞘体の内部空間に収納された場合には紐体も収納されるように鞘体と連結することとした収納具。
【請求項２】
前記のツールにおける柄の端部付近には、ツール側連結固定部を備え、
そのツール側連結固定部は、前記の紐体を連結固定することとした請求項１に記載の収納具。
【請求項３】
前記の紐体は、鞘体側において連結固定する部位に巻き取り機構を備え、
その巻き取り機構は、作業者がツールの柄を鞘体から取り出した際には紐体を引き出し、ツールの柄を鞘体へ収納した際に紐体を巻き取ることとした請求項１または請求項２のいずれかに記載の収納具。
【請求項４】
前記の鞘体は、その収納空間と収納空間の外側空間とを連通させるメッシュ構造にて形成した請求項１から請求項３のいずれかに記載の収納具。
【発明の詳細な説明】
【技術分野】
【０００１】
本発明は、仕事やレジャーにおいて使用される手で持つツールを収納する収納具に関する。
【背景技術】
【０００２】
仕事やレジャーにおいて、手に持って使用するツール（道具）は、数多く存在する。  そうしたツールは、球技スポーツにおけるラケットのように、常時手に持って使用するわけではなく、必要なときに取り出して使用するツールが少なくない。
たとえば、釣りに用いるペンチは、釣れた魚が針を呑み込んでしまっている場合に、針を外すために使用するが、使用していない場面には所定の収納場所へ収納している。
鮎釣りにおいては、特許文献１に示されるような、釣った鮎をキャッチするために用いるタモ（通称「鮎ダモ」、「玉網」）がある。さて、この鮎ダモは、キャッチする以外の時には、握り手となる柄の部分を釣り人のウエストベルトに差し込んでおくことが一般的である。
【０００３】
図８を用いて、更に詳しく説明する。
鮎ダモの柄１０には、網１１側の端部にリングなどを固定するための中央リング孔１２が設けられている。また、網１１とは反対側の端部付近にも、端部リング孔１３が設けられている。
鮎釣りは、膝上や腰の辺りまで川の水に浸かりながら行うこともある。そのため、鮎ダモを流してしまわないように、尻手ロープ（スプリングチェーン、紐体）２０の一端をベルト通しへ固定し、他端を中央リング孔１２または端部リング孔１３に固定する。
【０００４】
尻手ロープ２０を固定するための孔として、中央リング孔１２および端部リング孔１３が設けられているのは、釣り人の好みによって使い分けられるようにするためである。
図８（ａ）が、端部リング孔１３に尻手ロープ２０を固定した場合を示しており、図８（ｂ）が、中央リング孔１２に尻手ロープ２０を固定した場合を示している。そして、柄１０は、釣り人のウエストベルト３０に差し込まれる。
【先行技術文献】
【特許文献】
【０００５】
【特許文献１】特開２００７−１９５４９９号公報
【発明の概要】
【発明が解決しようとする課題】
【０００６】
さて、図８に示したには、以下のような問題点があった。
すなわち、図８（ａ）に示すように、端部リング孔１３に尻手ロープ２０を固定した場合、釣り人にとって柄１０を握るのに尻手ロープ２０が邪魔になることはない。しかし、ウエストベルト３０に尻手ロープ２０が絡んだりするというデメリットがある。ウエストベルト３０に柄１０を差し込むという動作があり、その差し込む先端部分にある端部リング孔１３へ尻手ロープ２０を固定しているからである。
【０００７】
一方、図８（ｂ）に示すように、中央リング孔１２に知って尻手ロープ２０を固定した場合、ウエストベルト３０に柄１０を差し込むという動作によっても、ウエストベルト３０に尻手ロープ２０が絡むおそれが少ない。しかし、釣り人が柄１０を握ろうとした時や柄１０を握っての鮎ダモの操作時に、尻手ロープ２０が邪魔になる場合がある、というデメリットがある。
【０００８】
上述した問題点は、仕事やレジャーにおいて手に持って使用するツールに、紛失の防止などのために紐やチェーンをつなぎ、その紐やチェーンをツール使用者の服やベルトなどへ固定している場合には、同様の問題として生じていた。
【０００９】
本発明が解決すべき課題は、柄のあるツールに紐体をつないでツール使用者へ固定している場合に、当該ツールの使い勝手を向上させられる技術を提供することにある。
【課題を解決するための手段】
【００１０】
（第一の発明）
本願における第一の発明は、作業者の握り手となる柄(10)と、その柄(10)から延設された部位としての作業機能部（たとえば網11）とを備えるツールを収納する収納具に係る。
すなわち、前記の柄(10)を収納する内部空間を備えた鞘体(40)と、その鞘体(40)とツールとを連結する紐体(たとえば尻手ロープ20)とを備え、  その紐体(20)は、前記の柄(10)が鞘体(40)の内部空間に収納された場合には紐体(20))も収納されるように鞘体(40)と連結することとした収納具である。
【００１１】
（用語説明）
「ツール」とは、柄(10)の長手方向寸法がそのツールの全長寸法に比して大きなものであり、たとえば、鮎ダモ、釣り用ペンチ、誘導灯などである。
「紐体」とは、単純な紐のほか、伸縮可能なゴム紐、コイルスプリング状となった尻手ロープなどのほか、巻き取り収納が可能な機能を備えたリールを備えたものでも良い。
【００１２】
（作用）
ツールの柄(10)は、鞘体(40)における収納空間へ収納される。
作業者は、ツールの柄(10)を握り、鞘体(40)における収納空間から柄(10)を取り出す。そして、作業機能部(11)を用いる。  紐体(20)が鞘体(40)とツールとを連結しているので、作業者がツールの柄(10)を離してしまっても、ツールを紛失するおそれはない。
作業者がツールを使い終えたら、鞘体(40)における収納空間に柄(10)を収納する。紐体(20)も収納されるので、紐体(20)が作業者の邪魔になることを軽減する。
【００１３】
（第一の発明のバリエーション１）
第一の発明は、以下のように形成してもよい。
すなわち、前記のツールにおける柄(10)の端部付近には、ツール側連結固定部(13)を備え、  そのツール側連結固定部(13)は、前記の紐体(20)を連結固定することとしても良い。
【００１４】
（作用）
ツール側連結固定部(13)がツールにおける柄(10)の端部付近に設けられているので、作業者がツールの柄(10)を握って作業機能部(11)を用いている際に、紐体(20)が作業者の邪魔になることを軽減する。
【００１５】
（第一の発明のバリエーション２）
第一の発明は、前記の紐体(20)には、鞘体(40)側において連結固定する部位に巻き取り機構(25)を備えることとしてもよい。  そして、その巻き取り機構(25)は、作業者がツールの柄(10)を鞘体(40)から取り出した際には紐体(20)を引き出し、ツールの柄(10)を鞘体(40)へ収納した際に紐体(20)を巻き取ることとしてもよい。
【００１６】
（作用）
紐体(20)に巻き取り機構(25)を備えたので、紐体(20)が作業者の邪魔になることを更に軽減する。
【００１７】
（第一の発明のバリエーション３）
第一の発明は、鞘体(40)を、その収納空間と収納空間の外側空間とを連通させるメッシュ構造にて形成してもよい。
【００１８】
（作用）
鞘体(40)にメッシュ構造を採用したので、鞘体(40)が軽くなる。また、作業者が川に入っての作業をする場合、川の水流が鞘体(40)を貫通するので、水の抵抗を減らすことができる。
【発明の効果】
【００１９】
第一の発明によれば、柄のあるツールに紐体をつないでツール使用者へ固定している場合に、ツールの柄を収納することによって当該ツールの使い勝手を向上させられる収納具を提供することができた。
【図面の簡単な説明】
【００２０】
【図１】本発明に係る第一の実施形態を示す全体図である。
【図２】本発明に係る第一の実施形態を示す断面図である。
【図３】本発明に係る第一の実施形態を示す斜視図である。
【図４】本発明に係る第二の実施形態を示す断面図である。
【図５】本発明に係る第二の実施形態を示す斜視図である。
【図６】本発明に係る第三の実施形態を示す斜視図である。
【図７】本発明に係る第四の実施形態を示す断面図である。
【図８】従来技術を示す図である。
【発明を実施するための形態】
【００２１】
以下、本発明を複数の実施形態および図面に基づいて更に詳しく説明する。ここで使用する図面は、図１から図７である。
図１から図３が第一の実施形態を、図４および図５が第二の実施形態を、図６が第三の実施形態を、図７が第四の実施形態を示す。
【００２２】
（第一の実施形態）
図１は、鮎釣りをする釣り人が右手に釣り竿を、左手に鮎ダモを持っている状態を示している。
釣り人の左手は、鮎ダモの柄１０を順手で握っており、釣り上げた鮎を網１１でキャッチしている。
釣り人のウエストベルト３０における左腰には、鞘体４０が固定されており、その鞘体４０と前記の鮎ダモの柄１０とが、尻手ロープ２０にて連結されている。
鞘体４０は、メッシュ構造を採用しており、軽い。また、釣り人が川に入って腰まで水に浸かっているような場合、川の水流が鞘体４０を貫通するので、水の抵抗を減らすことができる。
【００２３】
図２は、鮎ダモの柄１０が鞘体４０へ収納された状態を示している。
鞘体４０の長手方向寸法は、柄１０の長手方向寸法よりもやや小さい。釣り人が鮎ダモを鞘体４０から取り出しやすく、しかも安定して収納状態を保持できるようにするためである。
鮎ダモの柄１０には、網１１側の下方に中央リング孔１２を、網１１とは反対側の端部には端部リング孔１３を設けており、尻手ロープ２０の連結部分として選択できるようになっている。  図２に示す例では、尻手ロープ２０は端部リング孔１３と連結している。
【００２４】
鞘体４０の上部には、釣り人のウエストベルト３０に引っかけて鞘体４０を固定するための引っかけ金具４１を備えている。  また、鞘体４０の内部空間における引っかけ金具４１の近傍には、尻手ロープ２０の端部を連結固定するための連結固定具４２を備えている。
【００２５】
図３には、鮎ダモの柄１０が鞘体４０から取り出された状態を、鮎ダモの柄１０の図示を省略して示している。
尻手ロープ２０は、釣り人による鮎ダモの操作に応じて伸縮する。  鮎ダモを操作しているときにも、鮎ダモの柄１０を鞘体４０の内部空間へ収納させているときにも、尻手ロープ２０が邪魔になることがない。
【００２６】
（第二の実施形態）
図４および図５には、第二の実施形態を示している。
第一の実施形態との相違点は、第一の実施形態において採用していた紐体としての尻手ロープ２０に代えて、巻き取り機構２５を備えたナイロンワイヤ２６を採用している点である。
ナイロンワイヤ２６は巻き取り機構２５を備えているので、釣り人による鮎ダモの操作に応じて長さが変化する。
【００２７】
図６には、第三の実施形態を示している。
第二の実施形態との相違点は、巻き取り機構２５と鞘体４０との固定箇所を、鞘体４０における収納空間の内側ではなく、下側とした点である。  ナイロンワイヤ２６は、鞘体４０の底部を貫通して、鮎ダモの柄１０と連結させている。
この実施形態によれば、鞘体４０の収納空間において、鮎ダモの柄１０と巻き取り機構２５とが干渉することなく、鮎ダモの柄１０の出し入れが非常に円滑となる、というメリットがある。
【００２８】
図７には、第四の実施形態を示している。
第一の実施形態との相違点は、鞘体４０に収納するツールが鮎ダモではなく釣り用ペンチ１８とし、その釣り用ペンチ１８の全長との関係で鞘体４０における長手方向寸法を変更している点である。
本願発明は、鮎ダモや釣り用ペンチ１８のように、柄や握り部１９の長さ寸法が全長に比して大きいツールであって、柄握り部１９を収納した方が使い勝手の良いツールに適している。
【産業上の利用可能性】
【００２９】
本発明は、釣り具の製造業、ツールの製造業、アウトドアスポーツのインストラクター事業などにおいて、利用可能性を有する。
【符号の説明】
【００３０】
１０    柄                    １１    網
１２    中央リング孔          １３    端部リング孔（ツール側連結固定部）
１８    釣り用ペンチ          １９    握り部
２０    尻手ロープ（紐体）    ２５    巻き取り機構
２６    ナイロンワイヤ
３０    ウエストベルト
４０    鞘体                  ４１    引っかけ金具
４２    連結固定具
【図１】
2013208069.tif 000003
【図２】
2013208069.tif 000004
【図３】
2013208069.tif 000005
【図４】
2013208069.tif 000006
【図５】
2013208069.tif 000007
【図６】
2013208069.tif 000008
【図７】
2013208069.tif 000009
【図８】
2013208069.tif 000010